【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
回路であって、
信号を受け取るように構成される入力と第１のノードに結合される出力とを有する第１の周波数−電圧コンバータと、
基準クロック信号を受け取るように構成される入力と第２のノードに結合される出力とを有する第２の周波数−電圧コンバータと、
前記第１のノードと第３のノードとの間に結合される第１の電圧源と、
前記第２のノードと第４のノードとの間に結合される第２の電圧源と、
前記第１のノードと前記第３のノードとの間に結合される第１のスイッチと、
前記第２のノードと前記第４のノードとの間に結合される第２のスイッチと、
前記第４のノードに結合される第１の入力と、前記第３のノードに結合される第２の入力と、出力とを有するコンパレータと、
前記コンパレータの出力に結合される入力と、出力とを有する論理回路と、
前記論理回路の出力に結合される入力と、出力とを有するカウンタと、
を含む、回路。
【請求項２】
請求項１に記載の回路であって、
オンタイム（ＴＯＮ）ジェネレータであって、
ゲートドライバに結合するように構成されるゲート端子と、第５のノードに結合される第１の端子と、接地ノードに結合される第２の端子とを有するトランジスタと、
前記第５のノードと前記接地ノードとの間に結合されるコンデンサと、
第６のノードと前記第５のノードとの間に結合される抵抗と、
前記第５のノードと前記接地ノードとの間に結合される可変容量要素であって、前記カウンタの出力に結合される制御端子を有する、前記可変容量要素と、
を含む、前記オンタイム（ＴＯＮ）ジェネレータを更に含む、回路。
【請求項３】
請求項２に記載の回路であって、
前記可変容量要素がスイッチドコンデンサアレイを含み、前記スイッチドコンデンアレイのスイッチの制御端子が前記カウンタの出力に結合される、回路。
【請求項４】
請求項２に記載の回路であって、
電力コンバータの出力を表す信号を受け取るように構成される第１の入力と、基準信号を受け取るように構成される第２の入力と、出力とを有する検出器と、
前記電力コンバータに結合するように構成される第１の入力と、前記第５のノードに結合される第２の入力と、出力とを有する第２のコンパレータと、
を更に含み、
前記ゲートドライバが、前記第２のコンパレータの出力に結合される第１の入力と、前記検出器の出力に結合される第２の入力と、前記電力コンバータと前記第１の周波数−電圧コンバータの入力とに結合するように構成される第１の出力と、前記電力コンバータに結合するように構成される第２の出力と、前記トランジスタのゲート端子に結合される第３の出力とを有する、回路。
【請求項５】
請求項１に記載の回路であって、
前記第２の周波数−電圧コンバータの入力に結合される出力を有する基準クロックジェネレータを更に含む、回路。
【請求項６】
請求項１に記載の回路であって、
電力コンバータスイッチング制御信号を受け取るように構成される入力と前記第１の周波数−電圧コンバータの入力に結合される出力とを有するパルス幅変調（ＰＷＭ）ジェネレータを更に含む、回路。
【請求項７】
請求項１に記載の回路であって、
第１周波数−電圧コンバータの入力に前記信号として提供される電力コンバータスイッチング制御信号を受け取るように構成される入力を有する電力コンバータを更に含む、回路。
【請求項８】
請求項１に記載の回路であって、
前記第１の周波数−電圧コンバータが、電力コンバータに結合するように構成されるゲートドライバから前記信号を受け取るように構成される、回路。
【請求項９】
システムであって、
電源と、
負荷と、
複数の入力と複数の出力とを有するゲートドライバと、
電力コンバータであって、
前記ゲートドライバ出力の１つに結合されるゲート端子と、前記電源に結合される第１の端子と、第２の端子とを有する第１のトランジスタと、
前記第１のトランジスタの第２の端子に結合される第１の端子と、前記負荷に結合される第２の端子とを有するエネルギーストレージ要素と、
前記電力コンバータに結合される第１の入力と、第２の入力と、前記ゲートドライバ入力の１つに結合される出力とを有する第１のコンパレータと、
を含む、前記電力コンバータと、
コントローラであって、
前記ゲートドライバ出力の１つに結合される入力と、出力とを有するキャリブレーションループと、
前記キャリブレーションループの出力に結合される入力と前記第１のコンパレータの出力に結合される出力とを有するオンタイム（ＴＯＮ）ジェネレータと、
を含む、前記コントローラと、
を含み、
前記ＴＯＮジェネレータが、前記第１のトランジスタのゲート端子を介して前記電力コンバータを制御して前記ゲートドライバを制御するためのＴＯＮを生成するように構成され、
前記キャリブレーションループが、
前記ゲートドライバによって前記第１のトランジスタに提供される信号の周波数を基準クロックの周波数と比較し、
前記ゲートドライバによって前記第１のトランジスタに提供される前記信号の周波数と前記基準クロックの周波数との前記比較の結果に基づいてカウンタの値を改変し、
前記カウンタの値に基づいて前記ＴＯＮジェネレータのタイミング回路に存在する容量値を改変するように前記ＴＯＮジェネレータを制御する、
ように構成される、システム。
【請求項１０】
請求項９に記載のシステムであって、
前記キャリブレーションループが、
前記ゲートドライバ出力の１つに結合される入力と、出力とを有するＰＷＭジェネレータと、
前記ＰＷＭジェネレータの出力に結合される入力と第１のノードに結合される出力とを有する第１の周波数−電圧コンバータと、
基準クロック受け取るように構成される入力と、第２のノードに結合される出力とを有する第２の周波数−電圧コンバータと、
前記第１のノードと第３のノードとの間に結合される第１の電圧源と、
前記第２のノードと第４のノードとの間に結合される第２の電圧源と、
前記第１のノードと前記第３のノードとの間に結合される第１のスイッチと、
前記第２のノードと前記第４のノードとの間に結合される第２のスイッチと、
前記第４のノードに結合される第１の入力と、前記第３のノードに結合される第２の入力と、出力とを有する第２のコンパレータと、
前記第２のコンパレータの出力に結合される入力と、出力とを有する論理回路と、
前記論理回路の出力に結合される入力と、前記ＴＯＮジェネレータに結合される出力とを有する、前記カウンタと、
を含む、システム。
【請求項１１】
請求項９に記載のシステムであって、
前記ＴＯＮジェネレータが、
前記ゲートドライバ出力の１つに結合されるゲート端子と、第５のノードに結合される第１の端子と、接地ノードに結合される第２の端子とを有する第２のトランジスタと、
前記第５のノードと前記接地ノードとの間に結合されるコンデンサと、
前記電力コンバータと前記第５のノードとの間に結合される抵抗と、
前記第５のノードと前記接地ノードとの間に結合される可変容量要素であって、前記カウンタ出力に結合される制御端子を有する、前記可変容量要素と、
を含む、システム。
【請求項１２】
請求項１１に記載のシステムであって、
前記可変容量要素がスイッチドコンデンサアレイを含み、前記スイッチドコンデンアレイのスイッチの制御端子が前記カウンタ出力に結合される、システム。
【請求項１３】
請求項９に記載のシステムであって、
前記ゲートドライバ入力の１つに結合される出力と、前記電力コンバータの出力を表す信号を受け取るように構成される第１の入力と、基準信号を受け取るように構成される第２の入力とを有する検出器を更に含む、システム。
【請求項１４】
請求項９に記載のシステムであって、
前記キャリブレーションループが、前記ゲートドライバによって前記第１のトランジスタに提供される信号の周波数を基準クロックの周波数と比較するように更に構成され、
前記比較が、
前記ゲートドライバによって前記第１のトランジスタに提供された前記信号の周波数を表す電圧値を有する第１の信号を生成し、
前記基準クロックの周波数を表す電圧値を有する第２の信号を生成し、
前記ゲートドライバによって前記第１のトランジスタに提供された前記信号の周波数の上側及び下側変動限界を前記基準クロックの周波数に関して設定するために前記第１の信号と前記第２の信号とをバイアスし、
前記バイアスされた第１及び第２の信号を比較する、
ことによってなされる、システム。
【請求項１５】
請求項９に記載のシステムであって、
前記キャリブレーションループが、前記ゲートドライバによって前記第１のトランジスタに提供される前記信号の周波数が前記基準クロックの周波数より小さいときに前記カウンタの値を増加させ、前記ゲートドライバによって前記第１のトランジスタに提供される前記信号の周波数が前記基準クロックの周波数より大きいときに前記カウンタの値を減少させることによって、前記カウンタの値を改変するように更に構成される、システム。
【請求項１６】
請求項９に記載のシステムであって、
前記キャリブレーションループが、前記カウンタの値が低減するときに前記タイミング回路における前記容量値を増大させ、前記カウンタの値が増大するときに前記タイミング回路における前記容量値を低減させることによって、前記ＴＯＮジェネレータの前記タイミング回路に存在する前記容量値を改変するように前記ＴＯＮジェネレータを制御するように更に構成される、システム。
【請求項１７】
方法であって、
オンタイム（ＴＯＮ）を生成することと、
前記生成されたＴＯＮに従って少なくとも部分的に電力コンバータを制御することと、
前記電力コンバータを制御するために前記電力コンバータに提供される少なくとも１つの制御信号にほぼ等しい周波数を有するスイッチング周波数信号を生成することと、
前記スイッチング周波数信号を前記スイッチング周波数信号の前記周波数を表す電圧を有する第１の信号に変換することと、
基準クロックを前記基準クロックの周波数を表す電圧を有する第２の信号に変換することと、
前記第１及び第２の信号をバイアスすることと、
前記バイアスされた第１及び第２の信号を比較することと、
前記比較の結果に基づいてカウンタの出力値を改変することと、
前記カウンタの出力値に基づいて前記スイッチング周波数信号の周波数を改変するようにＴＯＮを生成するＴＯＮジェネレータのタイマにおける容量値を改変することと、
を含む、方法。
【請求項１８】
請求項１７に記載の方法であって、
前記比較の結果に基づいてカウンタの出力値を改変することが、
前記スイッチング周波数信号の周波数が前記基準クロックの周波数より小さいときに前記カウンタの出力値を増加させることと、
前記スイッチング周波数信号の周波数が前記基準クロックの周波数より大きいときに前記カウンタの出力値を減少させることと、
を含む、方法。
【請求項１９】
請求項１７に記載の方法であって、
前記ＴＯＮジェネレータのタイマにおける容量値を改変することが、
前記カウンタの出力値が減少するときに前記タイマに存在する前記容量値を増大させることと、
前記カウンタの出力値が増大するときに前記タイマに存在する前記容量値を低下させることと、
を含む、方法。
【請求項２０】
請求項１７に記載の方法であって、
前記ＴＯＮジェネレータのタイマにおける容量値を改変することが、前記カウンタの出力値に基づいて前記スイッチング周波数信号の周波数を改変して、環境変数とは無関係に前記電力コンバータの制御の周波数を較正する、方法。